(57)【特許請求の範囲】
【請求項１】
腕時計を保持するシャツのカフスであって、
切り抜き開口部を有する布地バンドと、
折り畳み可能に前記布地バンドに取り付けられる布地材料のフラップと
を備え、
前記布地バンドはシャツ袖に取り付けるために適合された第１の周辺端部と、
第１の周辺端部と対向する第２の周辺端部と、
を有し、
前記切り抜き開口部は前記腕時計の本体の表面を外部に露出させる表示窓を有し、
前記第２の周辺端部は前記切り抜き開口部と交差し、
前記フラップの一端は、前記表示窓の横方向の両側で前記布地バンドの下面に取り付けられ、
前記フラップが前記表示窓の下に折り畳まれ、前記腕時計の本体の表面を前記表示窓から外部に露出させる所定の位置に前記腕時計が着用された場合に、前記フラップは、前記腕時計を支持することを特徴とするシャツのカフス。
【請求項２】
前記布地バンドは、筒状にすると前記シャツ袖のバレルカフス伸長部を形成する第１の側面部分および第２の側面部分を有することを特徴とする請求項１に記載のシャツのカフス。
【請求項３】
前記第１の周辺端部は、前記シャツ袖に縫い付けられており、
前記フラップの前記一端は、前記第２の周辺端部に縫い付けられている請求項１に記載のシャツのカフス。
【請求項４】
前記フラップは、前記切り抜き開口部の全体にわたって延在し、
前記フラップは、前記腕時計が緩く着用者の手首に嵌められた場合に、当該腕時計を支持するとともに、前記着用者の手首と当該腕時計の本体との間に換気通路を形成し、当該腕時計の本体への熱伝達を防止することを特徴とする請求項１に記載のシャツのカフス。
【請求項５】
前記フラップは、前記表示窓の下に折り畳まれた場合に、前記切り抜き開口部の全体にわたって延在し、
前記所定の位置に前記腕時計が着用された場合に、前記フラップは、手首と当該腕時計の本体との間に挿入される仕切り層として機能することを特徴とする請求項１に記載のシャツのカフス。
【請求項６】
前記フラップは、２重になった布地材料であることを特徴とする請求項５に記載のシャツのカフス。
【請求項７】
前記フラップは、１センチメートル当り約３１．５本（１インチ当り約８０本）から１センチメートル当り約８６．６本（１インチ当り約２２０本）の範囲内の単位インチ当りの複数のヤーンからなる２重織り布地材料により形成されることを特徴とする請求項５に記載のシャツのカフス。
【請求項８】
前記フラップは、１００パーセントの木綿ヤーンにより形成されることを特徴とする請求項５に記載のシャツのカフス。
【請求項９】
前記フラップは、前記所定の位置に前記腕時計が着用された場合に、着用者の手首と当該腕時計の本体との直接の接触を防止するように前記表示窓の下に配置され、
前記フラップは、前記所定の位置に前記腕時計が着用された場合に、前記腕時計への発汗による湿気の直接の伝達を防止する湿気吸収性材料により形成されることを特徴とする請求項１に記載のシャツのカフス。
【請求項１０】
前記フラップは、前記所定の位置に着用された前記腕時計を下から支持し、伸縮バンドまたはストラップの力を着用者の手首の周囲に略均等に分散させることを特徴とする請求項１に記載のシャツのカフス。
【発明の詳細な説明】
【技術分野】
【０００１】
本発明は一般に衣服に関し、特にカフスを引っ込めることなく腕時計を都合よく見ることができるように１つの従来の腕時計を保持し見せるための複数の手段を有する１つのシャツカフスに関する。
【背景技術】
【０００２】
シャツの起源は、上着の下の保護層として着用されたやわらかいチュニックの形をした下着である。シャツは、首の上部のカラーおよび手首を覆うカフスをともなって、粗い毛織物衣類からの刺激に対する防護措置であった。
【０００３】
一方、シャツのカフスの起源は、保護的な袖伸長部またはよろいのカフスがチュニック袖の上に縫い付けられた初期の軍服のスタイルにあるといわれている。カフスには、腕と、手を覆う重い革手袋（こて）との間で露出する手首を保護する防護手段という目的があった。
【０００４】
よろいその他の防護服は廃れ、軍服が進化して、短いよろいのカフスは、シャツ袖の折り返された部分、または、袖の分離した縫い付け布地伸長部に取って代わられた。軍服スタイルには、洗練された衣服に対する本質的要素を含む基準が絶えず設定されてきたので、布地のカフスの仕組みはすぐに一般市民のシャツのデザインに模倣された。そして、シャツの露出したカラーおよびカフスの部分は、富と社会的地位を示す装飾とおしゃれの両方として見られ始めた。
【０００５】
今日、カフスは、外套の袖と手との間のリネンのバンドとして意図的に見せるものとされ、身なりのきちんとした男性に相応しい服装となっている。
【０００６】
テイラードスーツジャケットとシャツの組み合わせにおいて、ジャケットの袖は手首と掌の繋がる位置まで延在する必要がある。
【０００７】
男性衣服に対する現代の基準では、シャツのカフスの約１／２インチを見せる必要がある。リネンのバンドは、ジャケットカラーの上部と同様に、洗練された着こなしの良い人を定義する項目の１つである。
【０００８】
カフスは、今や、２つの基本的な形、バレルカフス伸長部およびフレンチカフス伸長部の形がある。バレルカフスは１つまたは２つのボタンで留め、一方、フレンチカフスは折り返して１つのカフスボタンで合わせて留める。テイラードスーツジャケットとシャツに加えて、また、腕時計も、標準的なファッションアクセサリーとなっている。腕時計クロノメーターが単なる実用的な機能以上のものを備えているからである。
【０００９】
つまり能力と能率の象徴として懐中時計に取って代わった腕時計は、ファッション哲学と地位の象徴となっている。このことは男性にも女性にも当てはまるが、装身具をあまり身に付けない男性にとって、腕時計は恐らくより大きな効果をもつ。同様に、適正にフィットしたシャツのカフスとカラーは重要なファッション指標となっている。洗練された腕時計を身に付けることは、男性が自分の価値と社会的地位をアピールする巧妙な方法の１つである。
【００１０】
カフスと腕時計はともに手首を取り囲む。したがって、腕時計の時間を見たり機能を操作したりするとき、カフスを捲る動作が必要になる。
【００１１】
また、ファッション時計のほかに、多機能腕時計、ワイヤレス通信ユニット、計算機、心拍数モニター、および、すみやかにアクセスして表示と操作をする必要がある類似の機器であって、腕に取り付けるものを着用することが普通になっている。
【００１２】
したがって、ファッション時計または腕に装着する機器に対する実用面とファッション面の競合する要求を満足させるカフスを提供することが継続的な関心となっている。
【００１３】
特定の関心事としては、腕時計または他の腕に取り付ける計器に対する表示およびアクセスの複数の要求に対応して、時計または計器の指示面を見せる１つのシャツカフスの必要性があり、そのようなシャツカフスがあれば、男性用および女性用の両ファッション衣類のために、シャツカフスによって覆い隠されることなく、その上テイラードカフスの見栄えを保ちながら、いつでも容易に時計または計器を見たりアクセスしたりすることが可能になる。
【００１４】
また、腕時計および腕に装着する機器は、手首に直接接触して着用されるので、摩擦接触、発汗湿気、および体熱にさらされる。
【００１５】
汗に含まれる腐食性の塩化合物は、腕時計本体を腐食させ腕時計の駆動部分または計器の中に浸透した場合、作動が損なわれ早期の故障につながる可能性がある。発汗による湿気がベゼル溝の中に浸透すると、文字盤の変色が起こり、湿気の薄膜が発生してクリスタルガラスの下側に堆積し、文字盤が見にくくなる可能性がある。
【００１６】
その上、使用者の発汗は腕に取り付ける計器の金属体または仕上げ面と反応する可能性があり、酸化合物が作り出され、敏感な肌が刺激されてアレルギー反応を引き起こす恐れもある。
【００１７】
また、酸化合物は、腕時計本体および連結ストラップの仕上げ面を腐食させる可能性があり、見栄えが色褪せ価値を低下させる恐れがある。
【発明の開示】
【発明が解決しようとする課題】
【００１８】
したがって、腕時計等への発汗湿気の直接伝達を防ぎ、腕時計等が手首に緩く嵌められた場合に、腕時計本体を着用者の手首に直接接触させることなく、できる限り快適に確実に着用することができるシャツのカフスの提供に継続的な関心がある。
【００１９】
また、腕時計等は、革製ストラップまたは弾力のある伸縮バンドによって手首の上に固定され、腕時計本体は手首にきつく保持されるので、腕時計本体に直接面している手首の肌に対して直接接触している状態の圧縮力が集中する。
【００２０】
圧縮力が集中すると、皮膚が擦り剥けたり、皮膚表面近くの血管および毛細血管を流れる血流が低下する可能性がある。その結果、不快に感じたり、手首を自由自在に動かし難かったり、腕時計等のボタン等の操作に支障をきたしたりすることがある。それゆえ、伸縮バンドまたはストラップの力を手首の実質的な周囲に、ある程度均等に分散させて、ストラップ等により加えられる締め付け作用を避ける、シャツのカフスの提供に継続的な関心がある。
【００２１】
腕時計等を手首にゆるい状態で装着させた場合に、装着した腕時計等が回転したりすべったりすることなくできる限り快適に確実に着用することができる、シャツのカフスの提供にも関心がある。
【００２２】
腕時計等を手首にゆるい状態で装着させた場合に、腕時計本体への熱伝達を防ぎ腕時計本体への発汗湿気の伝達を防ぐと同時に、できる限り快適に確実に着用することができる、シャツのカフスの提供にも関心がある。
【００２３】
腕時計本体等を手首に直接接触させることなく着用することができ、着用および着脱に支障をきたすことなく、弾力のあるバンドまたストラップを用いてしっかり固定することができ、それにより腕時計を首尾良く意のままに簡便に手首の周りに固定したり手首から取り外したりすることができる、シャツのカフスの提供にも関心がある。
【００２４】
本発明は、腕時計または他の腕に取り付ける機器を見せる手段を備えた長袖シャツまたは類似の衣服のためのカフスを提供する。
【課題を解決するための手段】
【００２５】
上記課題を解決するために、本発明の第１の形態においては、腕時計を保持するシャツのカフスであって、切り抜き開口部を有する布地バンドと、折り畳み可能に布地バンドに取り付けられる布地材料のフラップとを備え、布地バンドはシャツ袖に取り付けるために適合された第１の周辺端部と、第１の周辺端部と対向する第２の周辺端部とを、有し、切り抜き開口部は腕時計の本体の表面を外部に露出させる表示窓を有し、第２の周辺端部は切り抜き開口部と交差し、フラップの一端は、表示窓の横方向の両側で布地バンドの下面に取り付けられ、フラップが表示窓の下に折り畳まれ、腕時計の本体の表面を表示窓から外部に露出させる所定の位置に腕時計が着用された場合に、当該フラップは、当該腕時計を支持する。
【００２６】
布地バンドは、筒状にするとシャツ袖のバレルカフス伸長部を形成する第１の側面部分および第２の側面部分を有してもよい。
【００２７】
第１の周辺端部は、シャツ袖に縫い付けられており、フラップの一端は、第２の周辺端部に縫い付けられていてもよい。
【００２８】
フラップは、切り抜き開口部の全体にわたって延在し、フラップは、腕時計が緩く着用者の手首に嵌められた場合に、当該腕時計を支持するとともに、着用者の手首と当該腕時計の本体との間に換気通路を形成し、当該腕時計の本体への熱伝達を防止してもよい。
【００２９】
フラップは、表示窓の下に折り畳まれた場合に、切り抜き開口部の全体にわたって延在し、所定の位置に腕時計が着用された場合に、フラップは、手首と当該腕時計の本体との間に挿入される仕切り層として機能してもよい。フラップは、２重になった布地材料であってもよい。フラップは、１センチメートル当り約３１．５本（１インチ当り約８０本）から１センチメートル当り約８６．６本（１インチ当り約２２０本）の範囲内の単位インチ当りの複数のヤーンからなる２重織り布地材料により形成されてもよい。フラップは、１００パーセントの木綿ヤーンにより形成されてもよい。
【００３０】
フラップは、所定の位置に腕時計が着用された場合に、着用者の手首と当該腕時計の本体との直接の接触を防止するように表示窓の下に配置され、フラップは、所定の位置に腕時計が着用された場合に、腕時計への発汗による湿気の直接の伝達を防止する湿気吸収性材料により形成されてもよい。
【００３１】
フラップは、所定の位置に着用された腕時計を下からの支持し、伸縮バンドまたはストラップの力を着用者の手首の周囲に略均等に分散させてもよい。
【発明の効果】
【００３２】
本発明によれば、腕時計の伸縮バンド等によって加えられる力が、手首の周囲に均等に分散され、快適に腕時計を着用できる。
【発明を実施するための最良の形態】
【００３３】
本発明の複数の好ましい実施形態を図面を用いて説明する。
【００３４】
本発明をどのように最良に作り使用することができるかのさまざまな複数の事例に関連して、本発明の複数の好ましい実施形態をここに説明する。
【００３５】
図面の説明およびいくつかの複数の図の全体を通して、類似の複数の参照番号を使用して類似のまたは対応する複数の部分を指示する。
【００３６】
図１および図４を説明する。腕時計１２または他の腕に取り付ける計器を見せる手段を有するカフス１０は、長袖シャツまたは類似の衣服、たとえば、男性用ドレスシャツの袖１４上のバレルカフス伸長部として取り付けられている。カフス１０は、ストラップ１６または伸縮バンドを有する腕時計１２に対応して、腕時計１２を着用者の手首上の操作しやすい位置である表示位置に保持している。
【００３７】
カフス１０は、表示窓２２を形成している切り抜き開口部２０を有する。これにより、腕時計等を通常の操作しやすい位置である表示位置で手首上に着用しているとき、その表示窓２２を通して腕時計等の本体２４および表面２６を見たりアクセスしたりすることができる。
【００３８】
布地バンド１８は、縫い目３２によってシャツの袖１４に取り付けられる直線端部２８、および、それに対する他端である直線端部３０を有する。直線端部３０は、表示窓２２の輪郭を規定する、内方へ向き湾曲する切り抜き境界線３４と交差している。
【００３９】
「操作しやすい表示位置」を図１に示す。
【００４０】
図１に示すように、「操作しやすい表示位置」とは腕時計本体２４の位置を意味している。その位置において腕時計本体２４は、手首と手の付け根のすぐ近くに複数のストラップ１６または伸縮バンドによって保持されており、腕時計１２の表面２６は手首と手の上面にある表示窓２２を通して見えるように提示されている。腕時計１２は、従来のストラップ、留め金、または伸縮バンドの形状をしている保持手段１６による普通の方法で使用者の手首の周りに固定されている。腕時計の表面２６は、いつでも表示窓２２を通して簡単に見たりアクセスしたりすることができ、布地バンド１８によって覆い隠されることはないと同時に、テイラードカフスの見栄えを維持することができる。
【００４１】
図３について説明する。カフスバンド１８は第１および第２の側面部分３６，３８を有しており、それらの部分を丸めて巻くことによりシャツ袖のバレルカフス伸長部が形成される。
【００４２】
複数の側面部分３６、３８は、図４および図５に示されるように、従来のボタン４０とボタン穴４２の組み合わせによって互いに固定される。布地バンド１８は、１つのやわらかい２重になっている布地材料、たとえば、木綿織りヤーンで形成され、着用者の手首を取り囲むように形づくられる。
【００４３】
切り抜き開口部２０は、直線端部３０から切り抜き境界線３４に沿って内向きに延在し、それにより表示窓２２の内側境界線が規定されている。
【００４４】
表示窓２２は、腕時計１２の本体２４と比べ大きいので、腕時計１２を操作しやすい位置に着用している限り、本体２４の表面２６は完全に外部に露出される。なお、図によれば、ストラップ１６の一部が外部に露出しているが、ストラップ１６の大部分は布地バンド１８の下に隠れている。
【００４５】
柔軟性のあるフラップ４４が布地バンド１８に取り付けられ、表示窓２２の下に折り畳まれているので、フラップ４４は操作しやすい位置に腕時計１２の本体２４を支持する。
【００４６】
フラップ４４は、腕時計１２が緩く手首に嵌められた場合に、腕時計１２の本体２４が着用者の手首と接触することを防止することに加え、できる限り快適に確実に着用することができる。すなわち、フラップ４４は、腕時計１２と着用者の手首との間の直接接触を防止する仕切り層として機能する。
【００４７】
フラップ４４は、１センチメートル当り約３１．５本（１インチ当り約８０本）から１センチメートル当り約８６．６本（１インチ当り約２２０本）の範囲内の単位センチメートル当りの複数のヤーンからなる２重織り布地材料により形成される。また、フラップ４４は、１００パーセント木綿織りヤーンにより形成される。
【００４８】
図３、図６、および、図７を説明する。
【００４９】
フラップ４４は、布地バンド１８と折り畳み可能に連結されており、腕時計本体２４をフラップ４４の上に置き、切り抜き開口部２０内に表示位置合わせして配置することができる。フラップ４４の一端４６は、カフス１０の周辺端部３０と縫い目４８によって連結される。フラップ４４は、２重になった布地材料の長方形の布きれである。
【００５０】
図６の平面図に示されるように、フラップ４４は、折り畳まれる前において、切り抜き開口部２０から遠い側に配され、腕時計１２の最初の位置決めがされる。
【００５１】
腕時計１２の本体２４を表示窓２２に位置合わせした後、フラップ４４を、図３に示されるように、腕時計本体２４および布地バンド１８に対して真下になるように下に折り畳む。
【００５２】
さらに、図２および図４について説明する。フラップ４４は、腕時計１２の本体２４を下から支持するように配置され、表示窓２２全体にわたりかつ手首周りの約半分をぐるりと取り囲んで延在している。この配置によれば、フラップ４４は、手首と腕時計１２の本体２４との中間に位置付けられ、手首からの発汗による湿気の腕時計１２の本体２４への直接伝達が妨げられる。
【００５３】
また、フラップ４４の周りに腕時計１２が緩やかに装着されるので、換気通路５０が手首と腕時計１２の本体２４との間に形成される。これにより、腕時計１２の本体２４への熱伝達が防止がれ、手首に対する腕時計１２の本体２４の摩擦接触が防がれる。
【００５４】
さらに、ストラップ１６により加えられる圧縮力は、血行を締め付けることなくフラップ４４を介してある程度均等に分散される。
【００５５】
腕時計１２が手首の周りにゆったりと固定されており、表示窓２２内での腕時計１２の位置は、湾曲した切り抜き境界線３４に沿って定義された２重になっている周辺の複数の側部、および、サドルフラップ４４に対する腕時計本体２４の係合により安定しているので、手首周りの血行を締め付けることなく、腕時計１２が操作しやすい位置から回転したりすべったりすることなく、腕時計１２を着用することができる。
【００５６】
図８に示すように、本発明の別の好ましい実施形態によれば、カフス６０は、折り畳んでフレンチスタイルカフスの内側および外側の複数の層６４、６６を形成することができる布バンド６２を提供する。
【００５７】
布地バンド６２の外側の層６６は、切り抜き開口部６８を規定する切り抜き線６７に沿って切り分けられる。着用者は、図８に示すように、切り抜き開口部６８を通して腕時計７６を見たりアクセスしたりすることができる。布地バンド６２の内側の層６４は、切り抜き開口部６８に位置合わせされた腕時計７６の本体を支持するサドルとしての役目を果たす。
【００５８】
この実施形態において、ストラップ７８により加えられる力は、内側の層６４を介して実質的には均等に分散され、ストラップ７８の力の緊縮作用は防がれると同時に、着用者の手首に対する腕時計７６の本体による直接接触も防がれる。布地バンド６２は、中間折り畳み線７０から折り返されることにより、フレンチカフス伸長部の重なり合った内側および外側の複数の層を形成する。
【００５９】
切り抜き窓開口部６８は、折り畳み線によって少なくとも部分的に区切られている。内側カフス層６４は、縫い目７４によってシャツ袖１４上に取り付けられている周辺端部７２を有する。
【００６０】
腕時計７６が切り抜き開口部６８に位置合わせされて内側の層６４上に位置付けされた後、外側の層６６は、図８に示されるように、その上に折り返される。腕時計７６は、弾力のある側面留め金を用いて固定され、重なり合っている層の間に保持されている。
【００６１】
切り抜き開口部６８の枠内にはめられた腕時計７６の本体は、重なり合ったフレンチカフスの複数の層６４、６６によって腕時計７６の留め金に対して加えられる摩擦性締め付け係合によって操作しやすい位置に固定されている。布地バンド６２は、１００パーセント木綿織りヤーンの布きれから切り取り折り返して丸めて着用者の手首を取り囲む。
【００６２】
カフスボタン８０が内側の層６４に形成されたボタン穴８６、８８と、ボタン穴８６、８８に位置が調整され外側の層６６に形成されたボタン穴８２、８４とを通り、内側の層６４と外側の層６６が係合されることにより、布地バンド６２の側端部分６４Ａ、６４Ｂ、６６Ａ、６６Ｂは、手首の周りに揃えられ固定される。
【００６３】
外側カフス層６６は、折り畳まれた位置で周辺端７２にほぼ位置が合った状態になって、内側カフス層６４に重なっている１つの周辺端部９０を有する。
【図面の簡単な説明】
【００６４】
【図１】本発明の好ましい実施形態であるカフス１０の斜視図である。
【図２】図５の線２−２に沿って切った断面図である。
【図３】シャツ袖に取り付ける前のカフス１０の平面図である。
【図４】シャツ袖に縫い付けられたカフス１０の斜視図である。
【図５】腕時計１２が装着されたカフス１０の平面図である。
【図６】フラップ４４を広げたカフス１０の平面図である。
【図７】フラップ４４を折り畳んだカフス１０の底面図である。
【図８】本発明の他の実施形態であるカフス６０の斜視図である。
【図９】カフス６０の平面図である。
【図１】
0003889021.tif 000002
【図２】
0003889021.tif 000003
【図３】
0003889021.tif 000004
【図４】
0003889021.tif 000005
【図５】
0003889021.tif 000006
【図６】
0003889021.tif 000007
【図７】
0003889021.tif 000008
【図８】
0003889021.tif 000009
【図９】
0003889021.tif 000010